(57)【特許請求の範囲】
【請求項１】
水平方向または傾斜方向に回転軸を有する有底円筒状の回転ドラムと、前記回転ドラムを回転自在に内包する有底円筒状の外槽と、前記回転ドラムを回転駆動するモータと、前記外槽内の洗濯水を加熱する加熱手段と、前記加熱手段の近傍の前記外槽外面に取り付けられ前記加熱手段の温度の過昇を防止する温度過昇防止手段と、前記外槽内への洗濯水の給水を制御する給水手段と、前記モータ、加熱手段および給水手段等を制御して一連の洗濯、すすぎ、脱水動作を制御する制御手段とを備え、前記制御手段は、前記加熱手段を制御して洗濯水を加熱して洗濯を行う加熱洗濯行程を有し、前記加熱洗濯行程において、前記加熱手段への通電開始時に、前記加熱手段に第１の所定時間ＯＮ、第２の所定時間ＯＦＦの間欠通電し、前記外槽内の温度が異常に上昇した場合、前記温度過昇防止手段により前記加熱手段への通電を遮断し、前記加熱手段への間欠通電を所定回数行った後前記加熱手段に連続通電し、前記外槽内の洗濯水を所定の温度に加熱するようにしたドラム式洗濯機。
【請求項２】
制御手段は、少なくとも第１の所定時間が、回数を重ねるに従い短くなるようにした請求項１記載のドラム式洗濯機。
【請求項３】
加熱手段への入力電圧値を測定する入力電圧測定手段を備え、制御手段は、前記入力電圧測定手段により測定した入力電圧値に応じて、少なくとも第１の所定時間を設定するようにした請求項１または２に記載のドラム式洗濯機。
【請求項４】
制御手段は、入力電圧測定手段により測定した入力電圧値が高いほど、少なくとも第１の所定時間を短くするようにした請求項３記載のドラム式洗濯機。
【発明の詳細な説明】
【技術分野】
【０００１】
本発明は、洗濯物を収容した回転ドラムを回転駆動して洗濯、すすぎ、脱水の各行程を行うドラム式洗濯機に関するものである。
【背景技術】
【０００２】
従来、この種のドラム式洗濯機は図６に示すように構成していた。以下、その構成について説明する。
【０００３】
図６に示すように、回転ドラム１は、外周部に多数の通水孔２を全面に設け、外槽３内に回転自在に配設している。回転ドラム１の回転中心に回転軸４の一端を略水平方向に固定し、回転軸４の他端に従動プーリー５を固定している。第１のモータ６は、回転ドラム１を第１の回転数Ｎ１（たとえば、５３ｒｐｍ）で回転させて、洗濯またはすすぎをするものであり、第２のモータ７は、回転ドラム１を第２の回転数Ｎ２（たとえば、１０００ｒｐｍ）で回転させて脱水する。
【０００４】
これら第１のモータ６および第２のモータ７は、それぞれベルト８、９を介して従動プーリー５に連結している。従動プーリー５は、２種の減速比を有しており、第１のモータ６をベルト８を介して減速比が大きい従動プーリー５ａと連結し回転ドラムの低速回転を、第２のモータ７をベルト９を介して減速比が小さい従動プーリー５ｂと連結し回転ドラムの高速回転を実現している。
【０００５】
外槽３は、断面が回転軸４を中心とした略真円形状の外槽本体３ａと外槽本体３ａの開口部を覆う略円状の外槽前板３ｂとで構成して回転ドラム１を外包し、回転ドラム１と外槽３は、回転軸４と直行する方向の形状を回転軸４を中心として略同心円となるように構成し、底部側にヒータ１４を収容する略凹状の加熱体収容室１５を設けている。
【０００６】
この外槽３は、外箱１０よりばね体１１で揺動可能に吊り下げ、防振ダンパー１２により脱水起動時の振動が低減され、かつ定常脱水時の振動が外箱１０に伝達されないように防振支持するとともに、脱水時の振動を低減する重り１３を設けている。さらに外槽３底部には排水用のホース１６の一端を接続し、ホース１６の他端を排水ポンプ１７に接続して外槽３内の洗濯水を排水するようにしている。上記ヒータ１４の下方近傍には、温度検知装置１８と温度過昇防止装置１９を、外槽本体３ａの底部に固定している。
【０００７】
略筒状のパッキング部材２０は、ゴム等の可撓性材料で構成され、回転ドラム１の前面開口部に対応する外槽３の開口部とボデー前面開口部との間を連結するもので、外槽側端部を外槽前板３ｂに固着している。ボデー前面開口部に蓋２１を開閉自在に設けている。給水弁２２は外槽３内に水を給水するものである。制御装置２３は、第１のモータ６、第２のモータ７、ヒータ１４、排水ポンプ１７、給水弁２２などの動作を制御し、洗濯、すすぎ、脱水などの一連の行程を逐次制御する（例えば、特許文献１参照）。
【０００８】
上記構成において動作を説明すると、蓋２１を開いて回転ドラム１内に洗濯物を投入し、電源スイッチ（図示せず）をオンした後、制御装置２３に設けたスタートスイッチ（図示せず）を操作して運転を開始すると、給水弁２２が動作して給水し、水位検知手段（図示せず）により所定の水位を検知すると給水を停止し、第１のモータ６を駆動する。洗濯行程では、洗濯物に水が含まれるため補給水しながら、回転ドラム１は第１のモータ６によって第１の回転数Ｎ１で回転駆動され、回転ドラム１内の洗濯物は持ち上げられて水面上に落下される。この種のドラム式洗濯機に於いては、衣類の洗浄効果を高める為、あるいは衣類に付着した細菌類を死滅させる為洗濯水を高温にする機能が付加されているのが一般的である。その為には、ヒータ１４に通電して、温度検知装置１８により温度を検知
し、外槽３内の洗濯水をほぼ一定の温度に制御しながら加熱する。しかし高温化する一方では安全対策がもとめられる。仮に、制御装置２３に故障が発生し、外槽３内の水が無いにもかかわらず、ヒータ１４に通電した場合、外槽３内の温度は異常に上昇するが、この時、温度過昇防止装置１９によりヒータ１４への通電は分断され、加熱による機器の損傷はない。
【０００９】
洗濯行程が終了すると、排水ポンプ１７が動作して外槽３内の洗濯水を排水する。すすぎ行程においても洗濯行程と同様の動作を行う。
【００１０】
脱水行程では、回転ドラム１は第２のモータ７によって第２の回転数Ｎ２で回転駆動され、洗濯物は遠心脱水される。このとき、回転ドラム１内の洗濯物の片寄り、すなわちアンバランスが生じると、回転ドラム１、外槽３などの揺動体は振動するが、脱水起動時は防振ダンパー１２により揺動体の振動を減衰し、定常脱水時は防振ダンパー１２の防振機構により外箱１０に伝達されることはない。
【特許文献１】特開平１０−２６３２８５号公報
【発明の開示】
【発明が解決しようとする課題】
【００１１】
しかしながら、このような従来の構成では、制御手段に故障が発生し、外槽内の洗濯水が無いにもかかわらず、加熱手段が動作した場合、加熱手段が連続加熱するよう構成していたため、温度過昇防止手段が動作し加熱手段への通電が分断されるまで、外槽の温度が異常に上昇し、機器が損傷する可能性があった。ここで制御手段の故障で、外槽内の洗濯水が無いという不具合の状態は、例えば水位検知もしくはその制御回路が正しく作用しないとか、排水ポンプが誤動作して外槽内の洗濯水が流出してしまった、という状況である。
【００１２】
安全対策として温度過昇防止手段が設置されているが、その温度応答性は高くないため、温度過昇防止手段が検知する外槽外面の温度と、外槽内の温度に乖離があり、温度過昇防止手段の信頼性を高めることが望まれていた。
【００１３】
本発明は上記従来の課題を解決するもので、加熱手段を間欠動作させることにより、外槽内に洗濯水が無い場合の外槽の異常温度上昇を抑えるとともに、温度過昇防止手段の信頼性を高めることを目的としている。
【課題を解決するための手段】
【００１４】
前記従来の課題を解決するために、本発明のドラム式洗濯機は、水平方向または傾斜方向に回転軸を有する有底円筒状の回転ドラムと、前記回転ドラムを回転自在に内包する有底円筒状の外槽と、前記回転ドラムを回転駆動するモータと、前記外槽内の洗濯水を加熱する加熱手段と、前記加熱手段の近傍の前記外槽外面に取り付けられ前記加熱手段の温度の過昇を防止する温度過昇防止手段と、前記外槽内への洗濯水の給水を制御する給水手段と、前記モータ、加熱手段および給水手段等を制御して一連の洗濯、すすぎ、脱水動作を制御する制御手段とを備え、前記制御手段は、前記加熱手段を制御して洗濯水を加熱して洗濯を行う加熱洗濯行程を有し、前記加熱洗濯行程において、前記加熱手段への通電開始時に、前記加熱手段に第１の所定時間ＯＮ、第２の所定時間ＯＦＦの間欠通電し、前記外槽内の温度が異常に上昇した場合、前記温度過昇防止手段により前記加熱手段への通電を遮断し、前記加熱手段への間欠通電を所定回数行った後前記加熱手段に連続通電し、前記外槽内の洗濯水を所定の温度に加熱するようにしたものである。
【００１５】
これにより、外槽内に洗濯水が無い場合の外槽の異常温度上昇を抑えるとともに、温度過昇防止手段の信頼性を高めることができる。
【発明の効果】
【００１６】
本発明のドラム式洗濯機は、外槽内に洗濯水が無い場合の外槽の異常温度上昇を抑えるとともに、温度過昇防止手段の信頼性を高めることができる。
【発明を実施するための最良の形態】
【００１７】
第１の発明は、水平方向または傾斜方向に回転軸を有する有底円筒状の回転ドラムと、前記回転ドラムを回転自在に内包する有底円筒状の外槽と、前記回転ドラムを回転駆動するモータと、前記外槽内の洗濯水を加熱する加熱手段と、前記加熱手段の近傍の前記外槽外面に取り付けられ前記加熱手段の温度の過昇を防止する温度過昇防止手段と、前記外槽内への洗濯水の給水を制御する給水手段と、前記モータ、加熱手段および給水手段等を制御して一連の洗濯、すすぎ、脱水動作を制御する制御手段とを備え、前記制御手段は、前記加熱手段を制御して洗濯水を加熱して洗濯を行う加熱洗濯行程を有し、前記加熱洗濯行程において、前記加熱手段への通電開始時に、前記加熱手段に第１の所定時間ＯＮ、第２の所定時間ＯＦＦの間欠通電し、前記外槽内の温度が異常に上昇した場合、前記温度過昇防止手段により前記加熱手段への通電を遮断し、前記加熱手段への間欠通電を所定回数行った後前記加熱手段に連続通電し、前記外槽内の洗濯水を所定の温度に加熱するようにしたドラム式洗濯機であり、外槽内と外槽外面に取り付けられた温度過昇防止手段の温度差を最小限にすることができるので、制御手段に故障が発生し、外槽内に洗濯水が無いにもかかわらず、加熱手段が動作した場合、最短の時間で加熱手段への通電を分断することができ、外槽の異常温度上昇を抑えるとともに、温度過昇防止手段の信頼性を高めることができる。
【００１８】
第２の発明は、特に、第１の発明の少なくとも第１の所定時間が、回数を重ねるに従い短くなるように設定したものであり、制御手段に故障が発生し、外槽内に洗濯水が無いにもかかわらず、加熱手段が動作した場合、ヒータ（加熱手段）がある程度高温になった状態から再度通電された場合の温度上昇によるヒータの断線の防止を図りつつ、最短の時間で加熱手段への通電を分断することができる。
【００１９】
第３の発明は、特に、第１または第２の発明において、ヒータ（加熱手段）への入力電圧値を測定する入力電圧測定手段を備え、制御手段は、前記入力電圧測定手段により測定した入力電圧値に応じて、少なくとも第１の所定時間を設定するようにしたものであり、入力電圧値が高い場合あるいは低い場合の加熱手段の出力変化を考慮し、加熱手段への通電を最適に制御して、温度過昇防止手段の信頼性を高めることができる。
【００２０】
第４の発明は、特に、第３の発明の制御手段は、入力電圧測定手段により測定した入力電圧値が高いほど、少なくとも第１の所定時間を短くするようにしたものであり、入力電圧値が高い場合は加熱手段の出力も高くなるので、加熱時間を短くすることにより外槽内と温度過昇防止手段の温度差を最小限にすることができ、外槽の異常温度上昇を抑えるとともに、温度過昇防止手段の信頼性を高めることができる。
【００２１】
以下、本発明の実施の形態について、図面を参照しながら説明する。なお、従来例と同じ構成のものは同一符号を付して説明を省略する。また、この実施の形態によって本発明が限定されるものではない。
【００２２】
（実施の形態１）
図１は、本発明の第１の実施の形態におけるドラム式洗濯機の縦断面図、図２は、同ドラム式洗濯機の要部断面図、図３は、同ドラム式洗濯機のヒータ（加熱手段）の通電動作タイムチャートを示している。
【００２３】
図１に示すように、回転ドラム２４は、有底円筒形に形成し外周部に多数の透孔２５を全面に設け、外槽２６内に回転自在に配設している。回転ドラム２４の回転中心に傾斜方向に回転軸２７を設け、回転ドラム２４の軸心方向を正面側から背面側に向けて下向きに傾斜させて配設している。この回転軸２７に、外槽２６の外底面に取り付けたモータ２８を連結し、回転ドラム２４を正転、逆転方向に回転駆動する。回転ドラム２４の内壁面に数個の突起板２９を設けて衣類の撹拌をしやすくしている。
【００２４】
外槽２６の正面側の上向き傾斜面に設けた開口部を蓋体３０により開閉自在に覆い、この蓋体３０を開くことにより衣類出入口３１を通して回転ドラム２４内に洗濯物を出し入れできるようにしている。蓋体３０を上向き傾斜面に設けているため、洗濯物を出し入れする際、腰を屈めることなく行うことができる。
【００２５】
外槽２６は洗濯機の本体３２よりばね体３３とダンパー３４により揺動可能に吊り下げ防振支持すると共に、外槽２６の下部に排水経路３５の一端を接続し、排水経路３５の他端を排水弁３６に接続して外槽２６内の洗濯水を排水するようにしている。給水弁３７は給水経路３８を通して外槽２６内に水を給水するものである。水位検知手段３９は外槽２６内の水位を検知するものである。また、外槽２６の下方内部には、洗濯水加熱用のシーズヒータ等からなるヒータ（加熱手段）１４を配している。さらに、本体３２の下部には制御装置４７を、本体３２の上部には制御装置の入力手段および表示手段４７ａを配置している。
【００２６】
なお、本実施の形態では、回転ドラム２４の回転中心に傾斜方向に回転軸２７を設け、回転ドラム２４の軸心方向を正面側から背面側に向けて下向きに傾斜させて配設しているが、回転ドラム２４の回転中心に水平方向に回転軸２７を設け、回転ドラム２４の軸心方向を水平方向に配設してもよい。
【００２７】
以下図２の要部断面図にて、ヒータ（加熱手段）と温度過昇防止手段の構成について説明する。
【００２８】
ヒータ１４の一端にヒータ取付板４０を固着し、このヒータ取付板４０にパッキング材４１を介して外槽２６に設けたヒータ挿入穴４２に挿通可能な締着板４３と一体に設けたねじ４４をナット４５により取り付け、ヒータ１４を加熱体収容室１５に挿入し、ナット４５を締め付けることで、パッキング材４１がヒータ取付板４０と締着板４３との間で圧縮され、外側に膨出することによりヒータ１４を外槽２６に固定するとともに、パッキング材４１によりヒータ挿入穴４２を水密的に閉塞する。ヒータ１４の他端は加熱体収容室１５に設けたヒータ金具４６により挟持している。ヒータ１４から発生した熱は、ヒータ金具４６から加熱体収容室１５と外槽２６を介して、外槽２６に取り付けられた温度過昇防止手段を構成する温度過昇防止装置１９に伝えられる。また温度検知装置１８は、検知部分を加熱体収容室１５内部に指向するよう外槽２６に固定する。
【００２９】
上記構成において動作を説明すると、蓋体３０を開いて回転ドラム２４内に洗濯物を投入し、電源スイッチ（図示せず）をオンした後、入力手段４７ａに設けたスタートスイッチ（図示せず）を操作して運転を開始すると、給水弁３７が動作して給水し、水位検知手段３９により所定の水位を検知すると給水を停止し、モータ２８を駆動する。洗濯行程では、洗濯物に水が吸水されるため、水位低下分を補給水しながら、回転ドラム２４をモータ２８によって回転数Ｎで回転駆動され、回転ドラム２４内の洗濯物は持ち上げられて水面上に落下するいわゆるたたき洗いを行う。
【００３０】
このとき、図３に示すように、ヒータ１４に第１の所定時間（例えば８０秒）ＯＮし、第２の所定時間（例えば９０秒）ＯＦＦの間欠通電となるようにし、前記間欠通電を所定
回数行うようにして、温度検知装置１８により温度を検知し、外槽２６内の洗濯水をほぼ一定の温度に制御しながら、加熱する。
【００３１】
ここで仮に、制御装置４７に故障が発生し、外槽２６内の水が無いにもかかわらず、ヒータ１４に通電した場合、第１の所定時間（例えば８０秒）ＯＮする間に外槽２６内の温度は急激に上昇し、温度過昇防止装置の検知温度が外槽２６の温度に追いつかず実際よりも低く検知する。しかし、第２の所定時間（例えば９０秒）ＯＦＦすることにより、この時間内に熱伝達され温度過昇防止装置の検知温度が外槽２６の温度を正しく検知するまで高くなる。この動作を所定回数（例えば３回）行うことにより、外槽２６内の温度が異常に上昇した場合は、温度過昇防止装置１９が正しく動作しヒータ１４への通電は分断される。
【００３２】
この間欠動作を所定回数（例えば３回）行った後にヒータに連続通電するので、外槽２６内の洗濯水を加熱するのに要する時間は、最初からヒータに連続通電する場合と大差はない。
【００３３】
以上のように、本実施の形態１においては、洗濯行程の通電開始時に、ヒータを間欠動作させるので、外槽２６内の水が無いにもかかわらずヒータ１４に通電した場合、いち早く異常状態を検知しヒータ１４への通電を遮断することができるので安全性を確保することができる。
【００３４】
また、ヒータを間欠動作させるので、外槽２６内の水が無いにもかかわらず、ヒータ１４に通電した場合、外槽２６内の温度が異常に上昇することを最小限に止めることができ、洗濯機の損傷を防ぐことができる。また、温度過昇防止装置の交換のみで洗濯機の再使用が可能となり、市場での部品交換時のサービスメンテナンス性に優れると同時に、他の部品の故障（例えば水位検知手段）を早く見つけることができる。
【００３５】
さらに、ヒータ間欠動作を所定回数（例えば３回）行った後にヒータに連続通電するので、外槽２６内の洗濯水を加熱するのに要する時間は、最初からヒータに連続通電する場合と大差はなく、洗濯所要時間への影響なしに洗濯機の安全性を確保することができる。
【００３６】
（実施の形態２）
図４は本発明の第２の実施の形態におけるドラム式洗濯機の通電動作タイムチャートである。図４に示すように、制御手段は、少なくとも第１の所定時間が、回数を重ねるに従い短くなるようにしている。他の構成は上記実施の形態１と同じである。
【００３７】
上記構成において動作を説明する。なお、洗濯行程での基本的な動作は上記実施の形態１と同じであるので説明を省略する。
【００３８】
図４に示すように、ヒータ１４に１回目は第１の所定時間（例えば８０秒）ＯＮし、第２の所定時間（例えば９０秒）ＯＦＦの間欠通電となるようにし、２回目は１回目の８０秒よりも短い第１の所定時間（例えば６０秒）ＯＮし、第２の所定時間（例えば９０秒）ＯＦＦの間欠通電となるようにし、前記間欠通電を所定回数行うようにして、温度検知装置１８により温度を検知し、外槽２６内の洗濯水をほぼ一定の温度に制御しながら、加熱する。
【００３９】
ここで仮に、制御装置４７に故障が発生し、外槽２６内の水が無いにもかかわらず、ヒータ１４に通電した場合、１回目は第１の所定時間（例えば８０秒）ＯＮする間に外槽２６内の温度は急激に上昇し、温度過昇防止装置の検知温度が外槽２６の温度に追いつかず実際よりも低く検知する。しかし、第２の所定時間（例えば９０秒）ＯＦＦすることによ
り、この時間内に熱伝達され温度過昇防止装置の検知温度が外槽２６の温度を正しく検知するまで高くなる。ヒータはすでにある程度まで温度が上がっているので、２回目の第１の所定時間を１回目の第１の所定時間よりも短く（例えば６０秒）ＯＮすることで、ヒータの温度が上昇し過ぎないようにできる。
【００４０】
以上のように、本実施の形態２においては、ヒータの温度上昇を考慮してヒータのＯＮ時間を設定するので、外槽２６内の水が無いにもかかわらず、ヒータ１４に通電した場合、ヒータの温度が上昇しすぎて断線することを防ぎつつ、いち早く異常状態を検知しヒータへの通電を分断することができるので、安全性を確保することができる。
【００４１】
（実施の形態３）
図５は、本発明の第３の実施の形態におけるドラム式洗濯機のヒータ（加熱手段）通電動作タイムチャートである。
【００４２】
図５の（１）はヒータ通電の入力電圧が２０７Ｖ未満の場合、（２）は同２０７Ｖ以上で２３５Ｖ未満の場合、（３）は同２３５Ｖ以上の場合である。
【００４３】
本実施の形態３におけるドラム式洗濯機は、加熱手段への入力電圧値を測定する入力電圧測定手段を備え、制御手段は、前記入力電圧測定手段により測定した入力電圧値に応じて、ヒータ通電の少なくとも第１の所定時間を設定するようにしている。他の構成は上記実施の形態１と同じである。
【００４４】
上記構成において動作を説明する。なお、洗濯行程での基本的な動作は上記実施の形態１と同じであるので説明を省略する。
【００４５】
図５（２）に示すように、入力電圧値が例えば２２０Ｖの場合には、ヒータ１４に第１の所定時間（例えば８０秒）ＯＮし、第２の所定時間（例えば９０秒）ＯＦＦの間欠通電となるように設定する。図５（３）は、入力電圧値が高電圧の例えば２４０Ｖの場合には、ヒータ１４に第１の所定時間（例えば６０秒）ＯＮし、第２の所定時間（例えば９０秒）ＯＦＦの間欠通電となるようにして温度の急激な上がりすぎを抑制する。図５（１）は入力電圧値が低電圧の例えば２００Ｖの場合であり、ヒータ１４への第１の所定時間（例えば１２０秒）ＯＮとし低電圧によるヒータの発熱不足を時間で補償する。
【００４６】
以上のように入力電圧の変化に対応したヒータ通電時間を設定しつつ、前記間欠通電を所定回数行うようにして、温度検知装置１８により温度を検知し、外槽２６内の洗濯水をほぼ一定の温度に制御しながら、加熱する。
【００４７】
ここで仮に、制御装置４７に故障が発生し、外槽２６内の水が無いにもかかわらずヒータ１４に通電した場合、入力電圧値に応じて、少なくとも第１の所定時間を設定するようにしているので、入力電圧値によって異なるヒータ出力を考慮し、ヒータの温度が上がりすぎないようにできる。
【００４８】
以上のように、本実施の形態３においては、入力電圧値によって異なるヒータ出力を考慮して第１の所定時間を設定できるので、外槽２６内の水が無いにもかかわらず、ヒータ１４に通電した場合、外槽２６内の温度が異常に上昇することを最小限に止めることができ、洗濯機の損傷を防ぐことができる。
【００４９】
また、入力電圧値の影響されること無く、いち早く異常状態を検知しヒータへの通電を分断することができるので、安全性を確保することができる。
【００５０】
（実施の形態４）
本発明の第４の実施の形態のドラム式洗濯機のヒータ通電動作タイムチャートは、図５に基づいて説明する。
【００５１】
図５に示すように、制御手段は、入力電圧測定手段により測定した入力電圧値が高いほど、少なくとも第１の所定時間を短くするようにしている。他の構成は上記実施の形態１と同じである。
【００５２】
上記構成において動作を説明する。なお、洗濯行程での基本的な動作は上記実施の形態１と同じであるので説明を省略する。
【００５３】
図５（２）に示すように、入力電圧値が例えば２２０Ｖの場合には、ヒータ１４に第１の所定時間（例えば８０秒）ＯＮし、第２の所定時間（例えば９０秒）ＯＦＦの間欠通電となるようにし、図５（３）に示すように、入力電圧値が例えば２２０Ｖよりも高い２４０Ｖの場合には、ヒータ１４に８０秒よりも短い第１の所定時間（例えば６０秒）ＯＮし、第２の所定時間（例えば９０秒）ＯＦＦの間欠通電となるようにし、前記間欠通電を所定回数行うようにして、温度検知装置１８により温度を検知し、外槽２６内の洗濯水をほぼ一定の温度に制御しながら、加熱する。
【００５４】
ここで仮に、制御装置４７に故障が発生し、外槽２６内の水が無いにもかかわらず、ヒータ１４に通電した場合、入力電圧値が高いほどヒータ出力は高くなるので、外槽２６内の温度上昇も早くなるが、ヒータを通電する時間は短く設定されているため、ヒータが断線する程度のヒータの温度は高くならないうちに、温度過昇防止装置が動作してヒータへの通電を分断することができる。
【００５５】
以上のように、本実施の形態４においては、入力電圧値が高くてもヒータ出力が最適になるように第１の所定時間を設定できるので、外槽２６内の水が無いにもかかわらず、ヒータ１４に通電した場合、外槽２６内の温度が異常に上昇することを最小限に止めることができ、洗濯機の損傷を防ぐことができる。
【００５６】
また、入力電圧値の変動によらず、いち早く異常状態を検知しヒータへの通電を分断することができるので、安全性を確保することができる。
【産業上の利用可能性】
【００５７】
以上のように、本発明にかかるドラム式洗濯機は、洗濯行程の通電開始時に、ヒータを間欠動作させるので、制御装置に故障が発生し、外槽内の水が無いにもかかわらず、ヒータに通電した場合に、外槽の異常温度上昇を抑えるとともに、温度過昇防止手段を動作させ、その信頼性を高めることができるので、洗濯、すすぎ、脱水の各行程を行うドラム式洗濯機として有用である。
【図面の簡単な説明】
【００５８】
【図１】本発明の第１の実施の形態のドラム式洗濯機の縦断面図
【図２】同ドラム式洗濯機の要部断面図
【図３】同ヒータ動作タイムチャート
【図４】本発明の第２の実施の形態のドラム式洗濯機のヒータ動作タイムチャート
【図５】本発明の第３および第４の実施の形態のドラム式洗濯機のヒータ動作タイムチャート
【図６】従来のドラム式洗濯機の縦断面図
【符号の説明】
【００５９】
１４  ヒータ（加熱手段）
１９  温度過昇防止装置（温度過昇防止手段）
２４  回転ドラム
２６  外槽
２８  モータ
３７  給水弁（給水手段）
３８  給水経路（給水手段）
４７  制御装置（制御手段）
【図１】
0004581923.tif 000002
【図２】
0004581923.tif 000003
【図３】
0004581923.tif 000004
【図４】
0004581923.tif 000005
【図５】
0004581923.tif 000006
【図６】
0004581923.tif 000007